(57)【特許請求の範囲】
【請求項１】
室外機の本体の側板に運搬用の取っ手を設けてなる空気調和機の室外機において、前記側板に前記取っ手を装着するための略長方形形状の開口部を設け、前記開口部の上縁および下縁から前記開口部の内方に向けて前記取っ手を係合するための舌片を前記側板より延出して配設し、また、前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着した空気調和機の室外機。
【請求項２】
室外機の本体の側板に運搬用の取っ手を設けてなる空気調和機の室外機において、前記側板に前記取っ手を装着するための略長方形形状の開口部を設け、前記開口部の上縁および下縁から前記開口部の内方に向けて前記取っ手を係合するための舌片を前記側板より延出して配設し、さらに前記開口部を上下に二分する補強桟を略中央部に配設し、前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着した空気調和機の室外機。
【発明の詳細な説明】
【０００１】
【発明の属する技術分野】
本発明は空気調和機の室外機に係り、特に室外機の取っ手に関する。
【０００２】
【従来の技術】
従来の室外機は、例えば特開平６−３００３１４号公報に開示されているように、図４のような構造になっていた。
【０００３】
図４において、１００は室外機の本体、１０１Ａは左側板、１０１Ｂは右側板、１０２は前記本体１００内に収納されたＬ字形の熱交換器、１０３は前面カバー、１０４は前記前面カバー１０３に形成された排気口である。
【０００４】
また、前記本体１００の運搬用の取っ手１０５が前記左側板１０１Ａおよび右側板１０１Ｂの略中央上面側に配設されている。
【０００５】
また、前記取っ手１０５は手指１０６を入れるための凹部１０７が形成されている。
【０００６】
そして前記室外機を運搬する際には、運搬作業者が左右の取っ手１０５に手指１０６を入れて室外機を持ち上げ運搬する。
【０００７】
【発明が解決しようとする課題】
しかしながら、上記従来の室外機においては、室外機は重量物であるので手指１０６を差込んで指掛りとするための凹部１０７は、安全作業のためには十分な奥行き寸法Ｌ１が必要である。
【０００８】
このため、Ｌ１寸法を大きくすると、図４（Ｂ）に示すように取っ手１０５の奥には熱交換器１０２が配置されているので、室外機の横幅寸法がその分大きくなってしまう課題があった。
【０００９】
また、運搬作業時に凹部１０７の上面部１０８に室外機の全荷重が集中するので、この部分の十分な強度確保が必要であった。
【００１０】
このため、取っ手１０５は一般的に樹脂成形品で頑丈に製作されて、左側板１０１Ａあるいは右側板１０１Ｂにネジ等で固着されるものであった。
【００１１】
本発明は上記課題に対して、室外機の横幅寸法を大きくせず、十分な指掛りと強度を確保できる取っ手構成の空気調和機の室外機を提供することにある。
【００１２】
【課題を解決するための手段】
上記課題を解決するために、本発明の請求項１記載の発明は、室外機の側板に取っ手を装着するための略長方形形状の開口部を設け、前記開口部の上縁および下縁から前記開口部の内方に向けて前記取っ手を係合するための舌片を前記側板より延出して配設し、また前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着する構成としたものである。
【００１３】
この構成により、取っ手に近接して熱交換器が配置されていても、取っ手が内部側に出っ張ることが無いので室外機の横幅寸法を大きくする必要がなく、また十分な指掛り寸法と強度を確保できるので安全な運搬作業が可能である。
【００１４】
また、本発明の請求項２記載の発明は、室外機の側板に取っ手を装着するための略長方形形状の開口部を設け、前記開口部の上縁および下縁から前記開口部の内方に向けて前記取っ手を係合するための舌片を前記側板より延出して配設し、さらに前記開口部を上下に二分する略中央部の位置に補強桟を配設し、前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着する構成としたものである。
【００１５】
この構成により、取っ手の装着状態では前記補強桟が指掛け部の真上にほぼ接触状態で配置されるので、樹脂成形品からなる取っ手の指掛け部の補強となり、より安全な運搬作業を行うことができる。
【００１６】
【発明の実施の形態】
以下、本発明の実施の形態について図１〜図３を用いて説明する。
【００１７】
図１において、１は室外機の本体、２は左側板、３は右側板、４は前面カバー、５は前記本体１内に収納されたＬ字形の熱交換器、６は圧縮機である。
【００１８】
また、前記左側板２は金属板で製作され全面に吸気のための吸気口７が配設され、前面カバー４には排気口８が配設されている。
【００１９】
また、前記本体１の運搬用の取っ手９が前記左側板２および右側板３の略中央上部に配設されている。
【００２０】
つぎに、上記取っ手９の構成について説明する。
【００２１】
取っ手９は左側板２および右側板３に一対で配設されているが、説明を簡略化するため左側板２側の構成について説明する。
【００２２】
図２において、左側板２の中央上部には開口部７Ａ、７Ｂが設けられている。
【００２３】
そして前記開口部７Ａには、その上縁から内方に向けて複数の舌片７ｃを左側板２から延出して櫛形に配設している。
【００２４】
また、前記開口部７Ｂには、その下縁から内方に向けて複数の舌片７ｆを、前記舌片７ｃと対向する位置に同一形状で左側板２から延出して櫛形に配設している。
【００２５】
また、前記開口部７Ａ、７Ｂの境界部にを設け、前記補強桟７ｅの上縁からほぼ直角に外側方向に補強曲げ７ｄを前記補強桟７ｅから延出して配設している。
【００２６】
また、前記補強桟７ｅの左方に取っ手９を固定するためのネジ穴１０が設けてある。
【００２７】
また、前記取っ手９は樹脂成形品で製作され、略長方形形状の平面部９ａが設けられ、前記平面部９ａの表面側で中央部手前方向に凸形状の運搬用の指掛け部９ｄを配設している。
【００２８】
さらに前記平面部９ａの裏面側に前記左側板２に前記取っ手９を装着したとき係合する複数の係合片９ｂ、９ｃを、前記左側板２に設けた舌片７ｄ、７ｆと相対する位置に前記平面部９ａより延出して櫛形に設けている。
【００２９】
なお、前記係合片９ｂ、９ｃの幅寸法Ｌ２は、前記開口部７Ａ、７Ｂに設けた舌片７ｃ、７ｆ部の舌片間隙寸法Ｌ３より僅かに小さい寸法としている。
【００３０】
また前記指掛け部９ｄは、手指の第二関節まで指掛けできるＬ４寸法を確保して、指先が入る舌片９ｅが配設され、さらに吸気のためのスリット９ｇが配設されている。
【００３１】
また、前記平面部９ａの側方に取っ手９を固定するためのネジ穴９ｆを設けている。
【００３２】
つぎに、前記取っ手９の左側板２への装着方法について説明する。
【００３３】
図２に示す取っ手９の中心部を、係合片９ｂ、９ｃ間のピッチ寸法Ｐ１の半分となる寸法Ｐ２だけ左にずらして開口部７Ａ、７Ｂに押し当てて後、右へ寸法Ｐ２だけスライドすることにより係合片９ｂ、９ｃと舌片７ｃ、７ｆが係合して、図３に示すように取っ手９は左側板２に装着される。
【００３４】
最後に、取っ手９が左右にずれないようネジ１１を締め付けることにより装着が完了する。
【００３５】
また、取っ手９が装着された状態においては、前記補強桟７ｅと補強曲げ７ｄが取っ手９の舌片９ｄの上方にほぼ接触状態で配置されることになる。
【００３６】
そして上記構成の室外機を運搬する際には、図３に示すように運搬作業者は左右の取っ手９の指掛け部９ｄに手指１２を掛けて室外機を持ち上げ運搬する。
【００３７】
なお、本実施の形態では取っ手９の左右のずれ防止としてネジ１１を使用したが、他の固定手段例えば接着等を用いることもできる。
【００３８】
また、係合片９ｂ、９ｃと舌片７ｃ、７ｆを複数個設けたが、室外機の重量により一個でも、また他の形状、大きさにすることもできる。
【００３９】
また、取っ手９を左右一対として説明したが、熱交換器５が取っ手９の裏面に近接して配置されない側については、従来構成でも何ら問題はない。
【００４０】
また、補強桟７ｅと補強曲げ７ｄを指掛け部９ｄの上方に配設したが、室外機の重量によっては、補強桟７ｅと補強曲げ７ｄの両方を省くことも、また補強曲げ７ｄのみを省くこともできる。
【００４１】
【発明の効果】
本発明は、以上説明したような形態で実施され、以下に記載するような効果を奏する。
【００４２】
請求項１記載の発明は、室外機の側板に取っ手を装着するための略長方形形状の開口部を設け、前記開口部の上縁および下縁から前記開口部の内方に向けて前記取っ手を係合するための舌片を前記側板より延出して配設し、また前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着する構成としたことにより、前記取っ手に近接して熱交換器が配置されていても室外機の横幅寸法（Ｌ５）を大きくする必要がなく、また十分な指掛り寸法と強度を確保できるので安全な運搬作業が可能である。
【００４３】
また、請求項２記載の発明は、室外機の側板に取っ手を装着するための略長方形形状の開口部を設け、前記開口部の上縁および下縁から前記開口部の内方に向けて前記取っ手を係合するための舌片を前記側板より延出して配設し、さらに前記開口部を上下に二分する略中央部の位置に補強桟を配設し、前記取っ手は略長方形形状の平面部を設け、前記平面部の表面側で中央部手前方向に凸形状の運搬用の指掛け部を配設し、さらに前記平面部の裏面側に前記側板に前記取っ手を装着したとき係合する係合片を、前記側板に設けた舌片と相対する位置に前記平面部より延出して設け、前記取っ手を前記開口部に押し当てた後、左右にスライドして前記舌片と前記係合片を係合することにより、前記取っ手を前記側板に装着する構成としたことにより、取っ手の装着状態では前記補強桟が丁度指掛け部の真上にほぼ接触状態で配置されるので、樹脂成形品からなる取っ手の指掛け部の補強となり、より安全な運搬作業を行うことができる。
【図面の簡単な説明】
【図１】本発明の実施の形態を示す室外機の斜視図
【図２】本発明の実施の形態における要部斜視図
【図３】図１におけるｂ−ｂ縦断面図
【図４】（Ａ）は従来例の室外機を示す斜視図
（Ｂ）は（Ａ）のｄ−ｄ線に沿う部分的な断面図
（Ｃ）は（Ａ）のｅ−ｅ縦断面図
【符号の説明】
１  本体
２  左側板
３  右側板
４  前面カバー
５  熱交換器
７  吸気口
７Ａ、７Ｂ  開口部
７ｃ、７ｆ  舌片
９ｂ、９ｃ  係合片
７ｅ  補強桟
７ｄ  補強曲げ
９  取っ手
９ａ  平面部
９ｄ  指掛け部
１１  ネジ
【図１】
0003840866.tif 000002
【図２】
0003840866.tif 000003
【図３】
0003840866.tif 000004
【図４】
0003840866.tif 000005